(57)【特許請求の範囲】
【請求項１】
軸体と、軸体側から面積の大きいワッシャ部、外面にネジ山を有するネジ部、工具の打ち込み部と合致する形状の保持部の順に形成した頭部からなり、軸体が既存外壁を貫通して下地材に打ち込まれる固定具と、固定具のネジ部のネジ山と合致するネジ山を有し外方に平滑面を有する取付キャップと、取付キャップの平滑面に取り付けられる胴縁と、胴縁に固定して既存外壁を覆う新規外壁材とから構成し、平滑面の位置は取付キャップを回転させることによって内外方に調整可能であることを特徴とする外壁改修構造。
【発明の詳細な説明】
【０００１】
【発明の属する技術分野】
本発明は建築、構築物の既存外壁面、特にＡＬＣ部材（軽量気泡コンクリート）を中心とした既存外壁面を新規外壁で改修するための工法に関するものである。さらに詳しくは、新規の乾式壁材を取り付けるための固定具を確実に建物の躯体（下地材）に直接固定することによって、ＡＬＣ外壁に損傷を与えず、しかも、新規外壁材の取付強度も充分な外壁改修構造に関するものである。
【０００２】
【従来の技術】
従来、ＡＬＣ部材を使用した外壁の改修は、古くなった既存のＡＬＣ外壁をすべて撤去して、既存の躯体や胴縁等の壁下地材に新規外壁を形成する工法や、ＡＬＣ外壁面に直接新規の乾式壁材を当接して、乾式壁材をコンクリートアンカー等の固定具を用いて、ＡＬＣ壁そのものを壁下地材として利用して改修した工法が一般的に知られている。
【０００３】
【発明が解決しようとする課題】
しかしながら、上記のように古くなった既存のＡＬＣ等の外壁をすべて撤去して、既存の躯体や胴縁等の壁下地材に新規外壁を形成した工法では、撤去のための費用の増大や撤去した廃材の処理に課題があると共に、工事中は外壁が無い状態となり、工事期間中は建物内部を利用することができなくなる課題があった。
【０００４】
また、ＡＬＣ外壁をそのまま壁下地材として利用し、新規外壁材を施工する工法では、そもそも古くなったＡＬＣ外壁は、その性質により凍害や経時変化で、ひび割れや一部脱落、強度劣化が進んでおり、これを壁下地として利用することは、取り付けられた新規壁材の取り付け強度に問題が有り、台風や地震等の外的衝撃により脱落したり、剥がれたりする危険を伴っていた。さらに、ＡＬＣ外壁の表面には凹凸があり、そのまま新規外壁を施工すると凹凸による不陸調整が困難で、張り上がった新規壁面にも凹凸が発生し、美観性にも劣るものであった。
【０００５】
【課題を解決するための手段】
本発明はこのような欠点を除去するため、軸体と、軸体側から面積の大きいワッシャ部、外面にネジ山を有するネジ部、工具の打ち込み部と合致する形状の保持部の順に形成した頭部からなり、軸体が既存外壁を貫通して下地材に打ち込まれる固定具と、固定具のネジ部のネジ山と合致するネジ山を有し外方に平滑面を有する取付キャップと、取付キャップの平滑面に取り付けられる胴縁と、胴縁に固定して既存外壁を覆う新規外壁材とから構成し、平滑面の位置は取付キャップを回転させることによって内外方に調整可能である外壁改修構造を提案する。
【０００６】
【発明の実施の形態】
以下に、図面を用いて本発明に係る外壁改修構造について詳細に説明する。図１は本発明を用いてＡＬＣ外壁を改修した代表的な一例を示す斜視図、図２はその断面図を表す説明図であり、Ａは改修外壁、Ｂは下地材、Ｃは既存外壁、Ｄは固定具、Ｅは取付キャップ、Ｆは胴縁、Ｇは新規外壁材である。
【０００７】
下地材Ｂは、建物の躯体および既存外壁Ｃの取り付け下地となるもので、図に示すような水平方向に配置された横架材からなり、さらに具体的にはＨ型鋼材、もしくは図示しないが角型鋼材、Ｃ型鋼材（リップ溝型鋼材）、Ｌ字アングル材、溝型鋼材等の鉄骨の下地材、もしくは木質の柱材等からなるものである。
【０００８】
既存外壁Ｃは、Ｈ型鋼材等からなる下地材Ｂにアングルａ、タテカベプレートｂを介して固定されているものである。なお、図２は改修時期にきている一般的な挿入筋工法にて取り付けられているＡＬＣ外壁の例を示しており、この他にも既存外壁Ｃの取り付け方は種々あり、これに限定されるものではない。また、ｃは既存外壁Ｃの目地部に充填される充填目地材である。
【０００９】
固定具Ｄは、素材としては強度に優れた各種鋼材や、鉄、ステンレス、アルミニウム、チタン、繊維強化された各種合成樹脂等からなるもので、例えば図３（ａ）に示すように、少なくとも軸体１の先端部と頭部４の近傍にネジ部２、３を形成し、また頭部５には内方から順にワッシャ部５、ネジ部６、保持部７を有する構成のものを使用する。ワッシャ部５は既存外壁Ｃに当接する部分でネジ部６、保持部７と一体化していても分離していても良いもので、ワッシャ部５を既存外壁Ｃの表面に当接しつつネジ部２を下地材Ｂに到達させることによって、固定具Ｄを強固に固定する。ネジ部６はワッシャ部５の外方に形成し、ワッシャ部５の径以下の径を有するもので、取付キャップＥに形成したネジ部８とねじ結合する部分である。保持部７は固定具Ｄを打ち込む際に、工具の打ち込み部と合致する形状に形成するものであり、ワッシャ部５の径以下の径を有するもので、ここでは六角ナット状に形成したものを使用する。なお、保持部７はその内部を空洞化することができる。
【００１０】
また、固定具Ｄの取り付けピッチとしては、後記する新規外壁材Ｇに必要充分な取付強度（耐風圧強度）を満たす範囲内であれば任意で、例えば、水平方向のピッチは６００、９００、１２００、１５００ｍｍ位、垂直方向のピッチは、建物の種類によっても異なるが、一般的には１階層分の高さ３５００ｍｍ位である。
【００１１】
取付キャップＥは、例えば図３（ｂ）、（ｃ）に示すような短尺筒状の形状のものを使用する。すなわち、取付キャップＥの内面にはネジ部６とネジ結合する形状のネジ部８を形成し、また外方には平滑面９を形成する。固定具Ｄと取付キャップＥは、図３（ｄ）に示すようにネジ部６と、ネジ部８（図示せず）を合致させ、取付キャップＥを回転させることで平滑面９の内外方についての位置を調整することができる。なお、既存外壁Ｃと胴縁Ｆの間には、少なくともワッシャ部５、保持部６、取付キャップＥの厚さを合わせた分の幅を有する通気空間１３が確保される。
【００１２】
図４は、胴縁Ｆの一例を示すものである。胴縁Ｆは、平滑面９上に縦方向に取り付けられ、新規外壁材Ｇを取り付ける下地として機能するもので、断面略法ハット状の長尺体であり、平滑な固定面１１と、固定面１１と平行で固定面１１よりも外方に突出した取付面１２を有する。
【００１３】
図５は、新規外壁材Ｇの一例を示すものである。すなわち、新規外壁材Ｇは、表面材２３と裏面材２４によって芯材２５をサンドイッチした構造であり、その上下端にはそれぞれ嵌合可能な形状の雄型連結部２１、雌型連結部２２を形成するものである。新規外壁材Ｇを各雄型連結部２１と雌型連結部２２を係合しつつ上下に連続して配することで既存外壁Ｃの全面を覆い隠し、美観の良い改修外壁Ａを完成させるものである。
【００１４】
表面材２３は金属板、例えば鉄、アルミニウム、銅、ステンレス、チタン、アルミ・亜鉛合金メッキ鋼板、ホーロー鋼板の一種（勿論、これらを各種色調に
塗装したカラー板も含む）や、プラスチック薄板、ＦＲＰ、塩化ビニル、ポリカーボネイト等の合成樹脂板等からなるもの、およびこれらを組み合わせたものであり、これらの一種以上をロール成形、プレス成形、押出成形等によって形成したものである。雄型連結部２１、雌型連結部２２は、表面材２３の上下端をそれぞれ嵌合可能な形状に形成したものである。
【００１５】
裏面材２４はアスベスト紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート状物からなるもの、もしくは表面材２３と同様の材質からなるものである。
【００１６】
芯材２５は新規外壁材Ｇに断熱性及び防、耐火性を有させるものであり、ポリウレタンフォーム、ポリイソシアヌレートフォーム、フェノールフォーム、塩化ビニルフォーム、ポリエチレンフォーム、ポリスチレンフォーム、ユリアフォーム等からなるものである。芯材２５を有する新規外壁材Ｇを既存外壁Ｃの全表面に配することにより、改修外壁Ａの外観を美しく仕上げるのはもとより、断熱性、及び防、耐火性を向上させることができる。
【００１７】
以下に、本発明の改修外壁Ａを形成する工程について説明する。まず図６のように、所定の工具を用いて固定具Ｄの軸体１を既存外壁Ｃを貫通させつつネジ部２の範囲を下地材Ｂまで到達させ、かつワッシャ部５を既存外壁Ｃの表面に当接させるように固定する。なお、固定具Ｄの打ち込みは、保持部７を工具の打ち込み部と合致させて行う。
【００１８】
次に図７に示すように、ネジ部６とネジ部８をネジ結合して回転させることで、取付キャップＥを既存外壁Ｂの表面側に取り付ける。ネジ部６とネジ部８をネジ結合としたことで、取付キャップＥを回転させることによる平滑面９の位置の内外方向へ移動ができ、ＡＬＣ外壁の厚みの違いへの対応や不陸の調整も可能となり、新規外壁の張り上がりの美観性を向上させることができる。
【００１９】
次に図８に示すように、平滑面９上に固定面１１を当接しつつ固定具α（ヘクス、テクス、スクリュウビス等）を打ち込むことにより、胴縁Ｆを固定する。そして図９に示すように、新規外壁材Ｇを取付面１２上に固定具βによって固定し、下方から上方に雄型連結部２１と雌型連結部２２を係合しつつ貼り合わせていくことによって、図１に示すような改修外壁Ａを形成するものである。
【００２０】
以上説明したのは、本発明にかかる外壁改修構造の一実施例であり、図１０〜図１８（ａ）〜（ｃ）に示すような構成を採ったり、部材を用いたりすることができる。図１０、１１は固定具Ｄの頭部４よりも径がやや大きく、ワッシャ部５から保持部７まで納まる程度の深さを有する溝部３１を既存外壁Ｃに穿設し、胴縁Ｆの固定面１１を平滑面９と既存外壁Ｃの表面の両方に当接しつつ取り付ける例である。この場合、溝部３１を穿設した場合、既存外壁Ｃと新規外壁材Ｇの距離は小さくて済むようになり、通気空間１３としては固定面１１と取付面１２の距離だけの幅が確保される。
【００２１】
図１２は、図１３に示すような構成の胴縁Ｆを用いて壁構造Ａを形成した例である。すなわち、ここに示す胴縁Ｆは長尺体である芯体１４と、同じく長尺体であるカバー体１５とを一体化し、カバー体１５に設けた係止片１６により芯体１４の内部に保持するようにした例である。カバー体１５は素材としては強度に優れた各種鋼材や、鉄、ステンレス、アルミニウム、チタン、繊維強化された各種合成樹脂等からなるものであり、カバー体１５の内部に芯体１４を介在することにより、胴縁Ｆの取付キャップＥへの固着を強固に行うことができるのみならず、新規外壁材Ｇの胴縁Ｆへの固定をも強固ならしめることができる。なお図示しないが、芯体１４とカバー体１５の固着は、エアガン等を用いて行うことができる。
【００２２】
図１４（ａ）〜（ｅ）に示す例は、固定具Ｄと取付キャップＥの変形例であり、図１４（ａ）は、ワッシャ部５とネジ部６の径を同一化（一体化）し、固定具Ｄの製造を容易ならしめた例である。図１４（ｂ）は平滑面９の面積を大きく形成し、胴縁Ｆの取り付けの際に固定具αを打ち込む範囲を広く取った例である。図１４（ｃ）はネジ部６のネジ山を保持部７寄りの所定範囲に形成した例である。図１４（ｄ）はワッシャ部５の軸体１側に薄厚で弾力性を有する弾性体１０を配し、固定具αを打ち込んだ際に既存外壁Ｃの表面を傷めないようにすると共に、既存外壁Ｃの凹凸の吸収、防震性の向上に寄与するようにした例である。図１４（ｅ）は平滑面９の軸体１外側に薄厚で弾力性を有する弾性体１０を配し、取付キャップＥと新規外壁材Ｇの密着性の向上に寄与するようにした例である。
【００２３】
図１５（ａ）〜（ｊ）は、平滑面９の形状の変形例である。平滑面９を変形することにより、胴縁Ｆの取り付けが容易になるのみならず、取付キャップＥを回転させやすくなり、平滑面９の不陸調整が容易になるものである。
【００２４】
図１６（ａ）〜（ｊ）は、胴縁Ｆの変形例である。胴縁Ｆを変形することにより、胴縁Ｆの取り付けが容易になるのみならず、新規外壁材Ｇの取り付けも容易ならしめることができる。
【００２５】
図１７（ａ）〜（ｇ）、および図１８（ａ）〜（ｃ）は、新規外壁材Ｇの変形例である。新規外壁材Ｇの形状をを任意に選択することで、外観の優れた壁構造Ａを形成することができるものである。なお、図１８（ｂ）に示す新規外壁材Ｇは、雄型連結部２１内には防水性と耐火性を有する耐火性パッキング材２６を、雌型連結部２２内には防水性シーリング材２７をそれぞれ介在させて、連結目地部の防水性と耐火性を向上し、さらに雄型連結部２１と雌型連結部２２の形状に合致するように任意に形成した不燃部材２８を各連結部内に装着した例であり、不燃部材２８は、新規外壁材Ｇ同士で形成される連結目地部の防火性、耐火性を向上するものであり、また、雄型連結部２１と雌型連結部２２の端部に充填することから、新規外壁材Ｇ端部における芯材２５の欠肉を防止し、芯材２５の発泡性や延展性をも向上させるものである。なお、不燃部材２８はケイ酸カルシウム板、高密度フェノール樹脂板、木毛セメント板、ロックウール板、水酸化アルミニウム板等の１種以上の不燃性部材からなるものである。
【００２６】
【発明の効果】
以上説明したように本発明に係る外壁改修構造によれば、▲１▼既存外壁を解体する必要がないので、施工工数を省略できると共に、工期を大幅に短縮することができ、しかも施工中の居住や利用に何等支障を来さない。▲２▼既存外壁上に新規外壁を形成するので、施工が簡単でコストを節約できる。▲３▼既存外壁と新規外壁材との２重壁工法となり、断熱性、防音性、防火性に富む工法となる。▲４▼固定具と取付キャップをネジ結合とし、伸縮機能を持たせることで、下地材の不陸の調整が容易に行え、施工が容易となると共に、乾式壁材の張り上がりの美観性が向上する。等の特徴、効果がある。
【図面の簡単な説明】
【図１】本発明に係る外壁改修構造の代表例を示す説明図である。
【図２】本発明に係る外壁改修構造の代表例を示す説明図である。
【図３】固定具と取付キャップの説明図である。
【図４】胴縁の説明図である。
【図５】新規外壁材の説明図である。
【図６】本発明に係る外壁改修構造の改修手順を示す説明図である。
【図７】本発明に係る外壁改修構造の改修手順を示す説明図である。
【図８】本発明に係る外壁改修構造の改修手順を示す説明図である。
【図９】本発明に係る外壁改修構造の改修手順を示す説明図である。
【図１０】本発明に係る外壁改修構造のその他の例である。
【図１１】本発明に係る外壁改修構造のその他の例である。
【図１２】本発明に係る外壁改修構造のその他の例である。
【図１３】本発明に係る外壁改修構造のその他の例である。
【図１４】固定具と取付キャップのその他の例である。
【図１５】取付キャップの平滑面のその他の例である。
【図１６】胴縁のその他の例である。
【図１７】新規外壁材のその他の例である。
【図１８】新規外壁材のその他の例である。
【符号の説明】
α  固定具
β  固定具
ａ  アングル
ｂ  タテカベプレート
ｃ  充填目地材
Ａ  改修外壁
Ｂ  下地材
Ｃ  既存外壁
Ｄ  固定具
Ｅ  取付キャップ
Ｆ  胴縁
Ｇ  新規外壁材
１  軸体
２  ネジ部
３  ネジ部
４  頭部
５  ワッシャ部
６  ネジ部
７  保持部
８  ネジ部
９  平滑面
１０  弾性体
１１  固定面
１２  取付面
１３  通気空間
１４  芯体
１５  カバー体
１６  係止片
２１  雄型連結部
２２  雌型連結部
２３  表面材
２４  裏面材
２５  芯材
２６  耐火性パッキング材
２７  防水性シーリング材
２８  不燃材
３１  溝部
【図１】
0004155679.tif 000002
【図２】
0004155679.tif 000003
【図３】
0004155679.tif 000004
【図４】
0004155679.tif 000005
【図５】
0004155679.tif 000006
【図６】
0004155679.tif 000007
【図７】
0004155679.tif 000008
【図８】
0004155679.tif 000009
【図９】
0004155679.tif 000010
【図１０】
0004155679.tif 000011
【図１１】
0004155679.tif 000012
【図１２】
0004155679.tif 000013
【図１３】
0004155679.tif 000014
【図１４】
0004155679.tif 000015
【図１５】
0004155679.tif 000016
【図１６】
0004155679.tif 000017
【図１７】
0004155679.tif 000018
【図１８】
0004155679.tif 000019